(57)【特許請求の範囲】
【請求項１】
摘み筒１上端から周壁２を起立し、該周壁内面に少なくとも２条の螺旋溝３、４を形成すると共に、該周壁上部外面に周壁後部から周壁前部にかけて斜め下方に延びる傾斜溝部５と該傾斜溝部下端から開方向への回動方向と反対向の周方向へ延びる周溝部６とからなる第１係合凹溝７を形成した回動筒Ａと、
内筒８と外筒９とからなる二重筒の内外筒間上面を閉塞する閉塞壁１０上面に蓋係合部１１を形成すると共に、内外筒間内へ上記回動筒Ａの周壁２を抜け出し不能に、かつ回動自在に嵌合させ、また内筒８にその筒壁を貫通する割溝１２を縦設し、更に外筒９後壁に切欠部１３を穿設して、該切欠き面に縦溝１８ａを縦設すると共に、該切欠部上部の両側から案内壁１４を後方突設し、該案内壁の内側面に上部が前方へ屈曲する第２係合凹溝１５を形成し、かつ上記切欠部１３下端から後方突設する後向壁を介して当接壁１８を起立した把持筒Ｂと、
上記把持筒Ｂの内筒８内へ回動自在に嵌合させた筒壁下部外面から係合ピン１９を突出し、該係合ピンを上記内筒の割溝１２を介して上記回動筒Ａの螺旋溝３、４へ摺動自在に係合させた、回動筒Ａの開方向への回動により上昇する棒状化粧品保持筒Ｃと、
上記把持筒Ｂの蓋係合部１１へ係合されて把持筒Ｂ上面を閉塞する起伏自在な開閉蓋２０後部から可撓部２１を介して摺動板２２を垂下し、該摺動板を上記把持筒Ｂの案内壁１４後面へ上下動自在に当接させると共に、摺動板２２前面から突出板２３を介して案内板２４を起立させ、該案内板の両側端を上記縦溝１８ａへ摺動自在に係合させ、かつ上記摺動板から連結ピン２５を前方突設し、該連結ピン先端を上記回動筒の傾斜溝部５上端へ摺動自在に係合させ、更に上記可撓部２１先端下面に摺動ピン２６を突設して該摺動ピン両端を上記把持筒Ｂの第２係合凹溝１５へ摺動自在に係合させた開閉部材Ｄとを有し、
上記第２係合凹溝１５の屈曲角度を、上記開閉部材Ｄの摺動ピン２６が第２係合凹溝１５上端に位置する時は開閉蓋２０を把持筒Ｂ上面を閉塞する平伏状態にさせ、また摺動ピン２６が第２係合凹溝１５の屈曲部１６基端部に位置する時は開閉蓋２０を起立状態にさせる角度に定め、
上記回動筒Ａの傾斜溝部５の長さを、回動筒Ａの開方向への回動により上記摺動板２２が下降して連結ピン２５が傾斜溝部５下端へ達したときに開閉蓋２０上端が把持筒Ｂ上端とほぼ同一高さに達する長さに定め、
上記当接板１８の高さを、当該当接板上端が開閉蓋２０の平伏状態における摺動板２２下端に達する寸法で、かつ上記回動筒Ａの開方向への回動により上記連結ピン２５が傾斜溝部５下端へ達したところで突出板２３が当接板１８上端に当接可能な寸法に定めた
ことを特徴とする棒状化粧品繰出し容器。  。
【発明の詳細な説明】
【０００１】
【発明の属する技術分野】
本発明は開閉蓋を摘み筒の回動に連動させることにより自動開閉可能にした棒状化粧品繰出し容器に関する。
【０００２】
【従来の技術】
例えば、実開昭６３−９５５１８号に示すように、下部が形成する摘み筒部を除く上方筒部分を収納筒部となし、該収納筒部に複数の割溝を縦設する主筒と、上記収納筒部外面へ回動可能に嵌合された、内面に複数条の螺溝を有する螺筒と、上記収納筒部内面に上下動可能に嵌合され、かつ外面から突出した係合ピンを上記割溝に上下動自在に挿通させて該ピン先端を上記螺溝内に係合させた棒状化粧品保持筒と、上記螺筒を周壁内に挿入させて周壁下端を上記摘み筒部外面に嵌合させたキャップとからなる、棒状化粧品繰出し容器が知られている。
【０００３】
【発明が解決しようとする課題】
上記のような棒状化粧品繰出し容器では、容器本体とキャップとが別体であるため、容器本体から外したキャップを紛失するおそれがあった。
また、使用の度にキャップを外さなければならず面倒であった。
さらに、不使用時にはキャップが外観を呈し、他方、使用時にはキャップ取り外しにより露出する螺筒が外観を呈するため、キャップと螺筒との２つの部材に同程度の比重をおいて外観上の工夫をこらす必要があった。
【０００４】
請求項１記載の棒状化粧品繰出し容器は、開閉蓋の摺動板から突設する連結ピンを回動筒の傾斜溝部へ、また開閉部材の摺動ピンを第２係合凹溝へそれぞれ係合させて開閉部材を容器本体に連結させると共に、開閉蓋を回動筒の回動に連動させることにより、開閉部材の紛失防止と自動開閉を図ると共に、外観上の比重を容器本体に置くことによりコスト低減を図ろうとするものである。
【０００５】
【課題を解決するための手段】
第１の手段として、摘み筒１上端から周壁２を起立し、該周壁内面に少なくとも２条の螺旋溝３、４を形成すると共に、該周壁上部外面に周壁後部から周壁前部にかけて斜め下方に延びる傾斜溝部５と該傾斜溝部下端から開方向への回動方向と反対向の周方向へ延びる周溝部６とからなる第１係合凹溝７を形成した回動筒Ａと、
内筒８と外筒９とからなる二重筒の内外筒間上面を閉塞する閉塞壁１０上面に蓋係合部１１を形成すると共に、内外筒間内へ上記回動筒Ａの周壁２を抜け出し不能に、かつ回動自在に嵌合させ、また内筒８にその筒壁を貫通する割溝１２を縦設し、更に外筒９後壁に切欠部１３を穿設して、該切欠き面に縦溝１８ａを縦設すると共に、該切欠部上部の両側から案内壁１４を後方突設し、該案内壁の内側面に上部が前方へ屈曲する第２係合凹溝１５を形成し、かつ上記切欠部１３下端から後方突設する後向壁を介して当接壁１８を起立した把持筒Ｂと、
上記把持筒Ｂの内筒８内へ回動自在に嵌合させた筒壁下部外面から係合ピン１９を突出し、該係合ピンを上記内筒の割溝１２を介して上記回動筒Ａの螺旋溝３、４へ摺動自在に係合させた、回動筒Ａの開方向への回動により上昇する棒状化粧品保持筒Ｃと、
上記把持筒Ｂの蓋係合部１１へ係合されて把持筒Ｂ上面を閉塞する起伏自在な開閉蓋２０後部から可撓部２１を介して摺動板２２を垂下し、該摺動板を上記把持筒Ｂの案内壁１４後面へ上下動自在に当接させると共に、摺動板２２前面から突出板２３を介して案内板２４を起立させ、該案内板の両側端を上記縦溝１８ａへ摺動自在に係合させ、かつ上記摺動板から連結ピン２５を前方突設し、該連結ピン先端を上記回動筒の傾斜溝部５上端へ摺動自在に係合させ、更に上記可撓部２１先端下面に摺動ピン２６を突設して該摺動ピン両端を上記把持筒Ｂの第２係合凹溝１５へ摺動自在に係合させた開閉部材Ｄとを有し、
上記第２係合凹溝１５の屈曲角度を、上記開閉部材Ｄの摺動ピン２６が第２係合凹溝１５上端に位置する時は開閉蓋２０を把持筒Ｂ上面を閉塞する平伏状態にさせ、また摺動ピン２６が第２係合凹溝１５の屈曲部１６基端部に位置する時は開閉蓋２０を起立状態にさせる角度に定め、
上記回動筒Ａの傾斜溝部５の長さを、回動筒Ａの開方向への回動により上記摺動板２２が下降して連結ピン２５が傾斜溝部５下端へ達したときに開閉蓋２０上端が把持筒Ｂ上端とほぼ同一高さに達する長さに定め、
上記当接板１８の高さを、当該当接板上端が開閉蓋２０の平伏状態における摺動板２２下端に達する寸法で、かつ上記回動筒Ａの開方向への回動により上記連結ピン２５が傾斜溝部５下端へ達したところで突出板２３が当接板１８上端に当接可能な寸法に定めた
ことを特徴とする。
【０００６】
【発明の実施の形態】
以下、本発明の実施形態を図面を参照しながら説明する。
本発明に係る棒状化粧品繰出し容器は、回動筒、把持筒、棒状化粧品保持筒及び開閉部材を主要部材とする。以下、これらについて順次説明する。
【０００７】
Ａは回動筒で、摘み筒１上端から内向きフランジを介して周壁２を起立し、該周壁内面に２条の螺旋溝３、４を螺旋状に形成する。該螺旋溝の数は２条に限らず、それよりも多く形成してもよい。
【０００８】
また、周壁２上部の後壁左側部又は右側部外面に、後壁の周方向中央部から前壁にかけて斜め下方に延びる傾斜溝部５と該傾斜溝部下端から周壁２の開方向への回動方向（図１において矢印Ｘ方向）と反対向の周方向へ延びる周溝部６とからなる第１係合凹溝７を形成する。
【０００９】
Ｂは把持筒で、内筒８と外筒９とからなる二重筒の内外筒間上面を閉塞する環状の閉塞壁１０上面外周部から係合筒１０ａを起立して蓋係合部１１を形成する。そして内外筒間内へ回動筒周壁２を回動自在に嵌合させると共に、内筒８下端外面へ摘み筒１のフランジ孔を嵌合させる。この際、外筒９下端内面と周壁２下端外面とを凹凸手段により係合させて二重筒からの周壁２の抜け出しを不能にする。
【００１０】
内筒８の下端と上端部とを除いた筒壁部分に筒壁を貫通する割溝１２を縦設する。該割溝の上端は螺旋溝３、４の上端とほぼ同一高さに位置し、また割溝下端は螺旋溝３、４の下端とほぼ同一高さに位置する。
係合筒１０ａ後壁と閉塞壁１０後壁と外筒９下部後壁とのそれぞれの後壁部分を切り欠いて切欠部１３を形成すると共に、該切欠部上部の左右両側から案内壁１４を後方突設し、該案内壁のそれぞれの内側面に第２係合凹溝１５を形成する。
【００１１】
該第２係合溝１５上端は係合筒１０ａ近傍に達し、また第２係合溝１５下端は案内溝１４の上下方向中間部に達し、かつ第２係合溝１５上端部は前方へ屈曲すると共に、該屈曲部１６よりも下方溝部分は上下方向へ延びる直線部１７を形成する。一方、切欠部１３下端から後方突設する後向壁を介して当接壁１８を起立する。該当接壁上端は左右両案内壁１４の下端間内に位置する。また、切欠部１３を形成する外筒９の切欠き面に縦溝１８ａを縦設する。
【００１２】
Ｃは棒状化粧品保持筒で、把持筒内筒８内へ回動自在に嵌合させた筒壁下部外面の前後部のそれぞれから係合ピン１９を突出する。該係合ピンは内筒８の割溝１２を上下動自在に挿通してその先端を回動筒螺旋溝３、４下端へ摺動自在に係合させている。
【００１３】
Ｄは開閉部材で、把持筒Ｂの係合筒１０ａ内面へ係合されて把持筒Ｂ上面を閉塞する起伏自在な開閉蓋２０を有する。そして該開閉蓋後部に肉薄の可撓部２１の先端部２１ａを接続すると共に、可撓部基端部２１ｂから摺動板２２を垂下し、かつ該摺動板を把持筒案内壁１４後面へ上下動自在に当接させる。摺動板２２上端部前面から突出板２３を前方突設し、該突出板前端に案内板２４を起立させて固着させ、該案内板の両側端を縦溝１８ａに摺動自在に係合させる。
【００１４】
さらに案内板２４前面から連結ピン２５を前方突設し、該連結ピン先端を回動筒傾斜溝部５上端内へ摺動自在に係合させると共に、可撓部先端部２１ａ下面に左右に延びる摺動ピン２６を突設して該摺動ピン両端を把持筒第２係合凹溝１５上端へ摺動自在に係合させる。２７は開閉蓋２０後部下面を、後方がより肉薄となるように縦断面円弧形状に切除して形成した円弧部で、該円弧部後部を係合筒１０ａ上に載置させている。
【００１５】
なお、２８は摘み筒１の下端部内面へ抜け出し不能に嵌合させた下面閉塞の閉塞筒である。
【００１６】
次に本実施形態の作用について説明する。
図１に示す状態から把持筒Ｂを持って摘み筒１を矢印Ｘ方向へ回動すると、棒状化粧品保持筒Ｃは係合ピン１９を割溝１２に沿わせて上昇する。そして係合ピン１９が割溝１２上端に当接すると摘み筒１は回動不能になり棒状化粧品保持筒Ｃの上昇は停止する。
【００１７】
一方、摘み筒１の回動により連結ピン２５も下降を開始し、同時に摺動板２２は案内壁１４と当接壁１８との両壁に沿って下降を開始し、また案内板２４は縦溝１８ａ沿いに下降すると共に、摺動ピン２６も第２係合凹溝１５内を下方へ向け移動を開始する。すると開閉蓋２０はその後部に有する円弧部２７を係合筒１０ａ上端沿いに後方へ摺動させつつ徐々に起き上がり、円弧部２７前端が係合筒１０ａに達したところで該係合筒との係合から離脱する。そして摺動ピン２６が第２係合凹溝１５内を下降し、該第２係合凹溝の屈曲部分１６の基端部に達したところで開閉蓋２０は起立状態になり、さらに回動筒Ａが開方向へ回動すると、摺動板２２は案内壁１４と当接壁１８との両壁に沿って下降すると共に、摺動ピン２６は第２係合凹溝１５の直線部１７内を下降する。
【００１８】
他方、下降を継続する連結ピン２５が傾斜溝部５内を下方移動して該傾斜溝部下端へ達したところで突出板２３が当接板１８上端に当接する。この時点で開閉蓋２０上端は把持筒Ｂ上端とほぼ同一高さに達している。これ以降は回動筒Ａがさらに回動しても連結ピン２５は周溝部６内を周方向へ移動するだけであり、かつ突出板２３が当接壁１８上端へ当接しているから、開閉部材Ｄはそれ以上下降することができない。
【００１９】
一方、棒状化粧品保持筒Ｃの係合ピン１９は、連結ピン２５が傾斜溝部５下端へ達した時点でこれとほぼ同時に割溝１２上端に当接するか、または割溝１２近傍へ達している。
【００２０】
開閉蓋２０を閉じるには、摘み筒１を上記と反対方向へ回動すればよく、すると摺動ピン２６が上昇し、そして該摺動ピンが第２係合凹溝１５の屈曲部１６基端部を通過すると、可撓部２１は肉薄に形成されて可撓性を有するから徐々に傾倒し、摺動ピン２６が第２係合凹溝１５上端に達したところで開閉蓋２０は係合筒１０ａ内面に係合する。
【００２１】
【発明の効果】
請求項１記載の棒状化粧品繰出し容器は、開閉部材Ｄの摺動ピン２６を把持筒Ｂの第２係合凹溝１５へ係合させることにより開閉部材Ｄを把持筒Ｂに連結させているため、キャップの機能を有する開閉部材Ｄを紛失するおそれがない。
【００２２】
また、開閉蓋２０の摺動板２２から突設する連結ピン２５を回動筒Ａの傾斜溝部５へ係合させて開閉蓋２０の開閉を回動筒Ａの回動に連動させたので、開閉蓋２０の自動開閉が可能になって従来のように使用の度にキャップを取り外すといった煩わしさから解放される。
【００２３】
さらに、使用時及び不使用時にかかわらず常に把持筒Ｂは露出し、しかも把持筒Ｂは容器全体の外観の殆どを占めるため、外観にこらす工夫の重点を把持筒Ｂに置くことができ、従ってコスト低減が可能になる。
【図面の簡単な説明】
【図１】本発明に係る棒状化粧品繰出し容器の縦断面図。
【図２】同じく、要部を示す一部切欠分解斜視図。
【符号の説明】
１  摘み筒
２  周壁
３、４  螺旋溝
５  傾斜溝部
６  周溝部
７  第１係合凹溝
８  内筒
９  外筒
１０  閉塞壁
１１  蓋係合部
１２  割溝
１３  切欠部
１４  案内壁
１５  第２係合凹溝
１９  係合ピン
２０  開閉蓋
２１  可撓部
２１ａ  可撓部先端部
２１ｂ  可撓部基端部
２２  摺動板
２５  連結ピン
Ａ  回動筒
Ｂ  把持筒
Ｃ  棒状化粧品保持筒
Ｄ  開閉部材
Ｘ  回動方向
【図１】
0003898295.tif 000002
【図２】
0003898295.tif 000003